(57)【要約】      （修正有）【課題】植物体の葉面の裏側の気孔に向かって空気を送ることで、気孔の開き促進、育成促進とか、ハウスの育成不均一解消、収穫量促進を図るための植栽パネルの提供。【解決手段】植栽用のウレタンマット用の挿入孔２を複数配備、貫通開口３−１した空気孔を複数個配備し、栽培床Ａとの間の養液通路Ｂに収容した養液通路内に、空気を導入し、空気孔を通して空気を吹出可能とし、植栽する植物の葉面裏の気孔に向かって空気を送り得る植栽パネル。【選択図】図１
2019154358.tif 000002
【特許請求の範囲】
【請求項１】
植栽用のウレタンマット用の挿入孔を複数配備した植栽パネル（水耕パネル）において、
パネル本体には、貫通形成した空気孔を複数個配備し、
前記植栽パネルを支持する栽培床に収容した養液通路内には、空気を導入し、
前記空気孔を通して、前記空気を、前記植栽パネルで植栽する植物体の葉面裏に、吹出可能とすることを特徴とする植栽パネル。
【請求項２】
前記各空気孔のそれぞれの開口は、前記パネル本体の前記各挿入孔に、それぞれ隣設して配置された請求項１に記載の植栽パネル。
【請求項３】
前記各空気孔は、前記各挿入孔を取り囲むように、前記各挿入孔に対し複数個ずつ配置された請求項１に記載の植栽パネル。
【請求項４】
前記各空気孔のそれぞれの開口は、前記各挿入孔間に、それぞれ隣設して配置されるとともに、前記各開口の下端から、それぞれ前記養液通路に向って末広がり形状の各拡開部を備える請求項１に記載の植栽パネル。
【請求項５】
前記各拡開部の養液通路側端部は、前記パネル本体に凹設した各一連の窪み孔に繋がる請求項４に記載の植栽パネル。
【請求項６】
前記各窪み孔は、前記パネル本体に格子溝形状に形成されている請求項５に記載の植栽パネル。
【請求項７】
前記空気は、温度調整済である請求項１に記載の植栽パネル。
【請求項８】
前記植栽パネルは、少なくとも、隣設する植栽パネルを、連結具で繋ぎ、前記空気を活用する請求項１に記載の植栽パネル。
【発明の詳細な説明】
【技術分野】
【０００１】
本発明は、地上部植物体葉面に空気送風を可能とした植栽パネル（水耕パネル）に関する。
【背景技術】
【０００２】
水耕栽培は、水耕栽培用発泡スチロール定植パネル（植栽用のウレタンマットを挿入するパネル）に植物体（植物）を定植し、栽培する方法であり、この水耕栽培において、必要とする技術の一つが、地上部植物体（植物）葉面の濡れ、蒸れ、菌による各種病気の発生を防止するために植物体葉面に空気を送風することである。
【０００３】
そして、この空気の送風方法の従来技術を開示した先行文献として、例えば、特開２０１４−１１７２４５号公報（文献１）が挙げられる。この文献１では、植物栽培用パネル４に貫通穴（７）からホース（８）を通して植物体の根部に培養液あるいは空気を供給する方法が開示されている（段落００６６〜００６８、［図３］）。しかし、文献１による方法では植物体葉面の濡れ、蒸れ、菌による各種病気の発生を防止することはできない。
【０００４】
【特許文献１】特開２０１４−１１７２４５号公報
【発明の概要】
【発明が解決しようとする課題】
【０００５】
本発明は、植物体の葉面の裏側の気孔に向かって、空気を送ることで、この気孔の開き促進、育成促進とか、ハウスの育成不均一解消、収穫量促進を図るための植栽パネルの提供と、併せて、植物体の葉面の裏側の気孔に向かって、空気を送るための手段であって、簡素な構造を採用し達成可能とすることと、効率的な方法で、十分な空気を送ることができる植栽パネルの提供とを意図する。
【課題を解決するための手段】
【０００６】
本発明は、植物体葉面の裏側の気孔に向かって、空気を送ることができる植栽パネルを提供する。その構造を、請求項１−８において開示する。
【発明の効果】
【０００７】
請求項１で開示する発明は、植栽用のウレタンマット用の挿入孔を複数配備した植栽パネル（水耕パネル）において、
パネル本体には、貫通形成した空気孔を複数個配備し、
植栽パネルを支持する栽培床に収容した養液通路内には、空気を導入し、
空気孔を利用して、空気を、植栽パネルで植栽する植物体の葉面裏に、吹出可能とする植栽パネルとする。
【０００８】
これによって、通気性を備えた植栽パネルを提供し、植物体葉面の裏側の気孔に向かって、空気を送り得ることで、この気孔の開き促進、育成促進とか、ハウスの育成不均一解消、収穫量促進が図れること等の効果がある。そして、この植栽パネルは、前記意図を達成するには、最適であって、しかも構造が簡易で、低コスト、かつ手間を要せず実用に供し得る実益を備える。
【０００９】
請求項２で開示する発明では、空気孔のそれぞれの開口は、パネル本体の各挿入孔に、それぞれ隣設して配置されている。
【００１０】
これによって、十分な空気を植物体葉面に送ることができる。
【００１１】
請求項３で開示する発明では、各空気孔は、各挿入孔を取り囲むように、各挿入孔に対し複数個ずつ配置されている。
【００１２】
これによって、まんべんなく空気を植物体葉面に送ることができる。
【００１３】
請求項４で開示する発明は、各空気孔のそれぞれの開口は、各挿入孔間に、それぞれ隣設して配置されるとともに、各開口の下端から、それぞれ養液通路に向って末広がり形状の各拡開部を備える植栽パネルである。
【００１４】
これによって、集められた空気を十分に植物体葉面に送ることができる空気孔の開口の構造を提供できる。
【００１５】
請求項５で開示する発明は、各拡開部の養液通路側端部は、パネル本体に凹設した各一連の窪み孔に繋がる植栽パネルである。
【００１６】
これによって、十分な空気を植物体葉面に送ることができる空気孔の構造を提供できる。
【００１７】
請求項６で開示する発明は、各窪み孔は、パネル本体に格子溝形状に形成されている植栽パネルである。
【００１８】
これによって、まんべんなく十分な空気を植物体葉面に送ることができる空気孔の構造を提供できる。
【００１９】
請求項７で開示する発明は、空気は、温度調整済である植栽パネルである。
【００２０】
これによって、請求項１の効果等の達成と、植物の育成環境確保と、最小限度の温度管理も可能となる。
【００２１】
請求項８で開示する発明は、植栽パネルは、少なくとも、隣設する植栽パネルを、連結具で繋ぎ、空気を活用する植栽パネルである。
【００２２】
これによって、請求項１の意図を達成できる空気環境の維持に有効である。
【図面の簡単な説明】
【００２３】
【図１】植栽用のウレタンマット用の挿入孔を複数配備した植栽パネルと、空気孔（空気供給手段）を備えた第１実施例の水耕栽培装置（システム）の断面図
【図２】第１実施例の植栽パネルの空気の流れを説明する断面図
【図３】植栽パネルの全体を示した俯瞰平面図
【図４】図３の側面図
【図５−１】図３のＡ−Ａ断面図
【図５−２】図３のＢ−Ｂ面図
【図５−３】図３のＣ−Ｃ断面図
【図５−４】図３のＤ−Ｄ断面図
【発明を実施するための形態】
【００２４】
以下、本発明の好ましい、一例を説明する。
【００２５】
図１と図２に示した、第１実施例では、板状の植栽パネル１は、栽培床Ａに設けられており、この植栽パネル１と栽培床Ａとの間の養液通路Ｂに養液が供給される。この養液に植物体Ｃの根Ｃ３が接触することで、養分が供給される。これにより、順調に、栽培される。
【００２６】
この植栽パネル１は、発泡スチロール定植パネルであって、植栽用のウレタンマット用の挿入孔２が複数個配備されており、この挿入孔２は、表面１００ａ（植物体葉面側の面）から裏面１００ｂ（養液通路Ｂ側の面）に開口されている。そして、この挿入孔２には、播種した植栽用のウレタンマット（図示せず）が挿入される。
【００２７】
植栽パネル１のパネル本体１００には、貫通形成した複数個の空気孔３が配備されている。この空気孔３は、パネル本体１００の表面１００ａから裏面１００ｂに向って形成した複数個の筒状の開口３−１と、この開口３−１に繋がる裏面１００ｂに向かって形成した複数個の末広がりの空気溜まりとして機能する拡開部３−２と、拡開部３−２に繋がる裏面１００ｂに形成した複数個の窪み孔３−３と、で構成されている。そして、この窪み孔３−３は、裏面１００ｂに形成するとともに、パネル本体１００を全体視した状態では格子溝形状である。そして、この格子溝の窪み孔３−３（窪み）の上側（表面１００ａに向かって）には、各拡開部３−２が形成され、続いて、上側には各開口３−１が形成される構造である（図１〜図３参照）。前記窪み孔３−３は、空気を取り込み易く、かつ上側に（表面１ａに向って）誘引し易くするために、収れん形状とする。この収れんで集められた空気を開口３−１に誘引し、開口３−１の上面開放部より植物体Ｃの裏面Ｃ２に吹出す構造である。
【００２８】
そして、空気吹出用の空気孔３は、挿入孔２の近傍に開設し（但し、限定されない）、
また空気孔３が挿入孔２を取り囲むよう配置することにより、空気を、葉面Ｃ１に向って吹出す構成、植物体Ｃの茎の葉面Ｃ１にまんべんなく空気を吹き付ける構造とする。これにより、例えば、この気孔の開き促進、育成促進とか、ハウスの育成不均一解消、収穫量促進が図れること等の効果がある。
【００２９】
続いて、この一例における空気の流れを説明すると、パイプ５から、植栽パネル１と栽培床Ａとの間の養液通路Ｂに送られた空気は、窪み孔３−３→拡開部３−２→拡開部３−１を経由し、拡開部３−１の上面開放部より、微風となって植物体Ｃの裏面Ｃ２に吹出す構造である。
【００３０】
尚、図示しないが、第１の栽培床Ａと、複数の栽培床Ａとが連設される構造では、各栽培床Ａを連結パイプで繋ぐ形態とする。これによって、それぞれの栽培床Ａに空気が送られる。この連設する構造において、空気の流れは、前述の例に準ずる。尚、適宜数の植栽パネル１が連設され、空気は、図示しない、例えば、ポンプとか配液機構とかの手段のパワーにより送風される。
【００３１】
以上、本発明の好ましい実施形態（第１実施例）について説明したが、本発明は係る特定の実施形態に限定されるものではなく、本発明には、特許請求の範囲に記載された発明とその均等の範囲の構成（技術内容）は含まれる。
【符号の説明】
【００３２】
１  植栽パネル
１００  パネル本体
１００ａ  表面
１００ｂ  裏面
２  挿入孔
３  空気孔
３−１  開口
３−２  拡開部
３−３  窪み孔
５  パイプ
Ａ  栽培床
Ｂ  養液通路
Ｃ  植物体
Ｃ１  葉面
Ｃ２  裏面
Ｃ３  根
【図１】
2019154358.tif 000003
【図２】
2019154358.tif 000004
【図３】
2019154358.tif 000005
【図４】
2019154358.tif 000006
【図５−１】
2019154358.tif 000007
【図５−２】
2019154358.tif 000008
【図５−３】
2019154358.tif 000009
【図５−４】
2019154358.tif 000010